(57)【要約】【課題】表示用数字や目盛りの部分を単に透過照明する場合よりも、より魅力的で幻想的な照明を演出することができるようにする。【解決手段】文字板７、１６の内側に半径方向に沿って延びる先端が開口した凸状の湾曲部６ａ、１５ａが複数形成された照明拡散部材６、１５を設けるとともに、文字板７、１６の前面側にフロントカバー４と一体に形成されたリッド部８、１７を設置して、リッド部８、１７の外周面の表面に光を散乱させるように処理された表面処理部８ａ、１７ａを形成し、光源から出射される光を照明拡散部材６、１５の湾曲部６ａ、１５ａの開口を通して文字板７、１６側に導いて、数字７ａ、１６ａの周囲領域を照明するとともに、光源から出射される光の一部をリッド部８、１７に入射させて、表面処理部８ａ、１７ａにて光のグラデーションが得られるようにした。【選択図】図１
2009198263.tif 000002
【特許請求の範囲】
【請求項１】
透過照明可能な表示意匠が形成されたリングの文字板と、
前記文字板上を回動可能に設けられ、前記表示意匠を指示表示する指針と、
前記文字板の内側に該文字板と同心円上に設けられ、半径方向に沿って延びる先端が開口した凸状の湾曲部が前記表示意匠の位置に合わせて複数形成された照明拡散部材と、
前記照明拡散部材の背面側に設けた光源と、
前記文字板の前面側の外周囲を囲むように設けられ、ハウジングの前面側に配置されるフロントカバーと一体に形成されたリッド部と、
前記リッド部の外周面の表面に、光を散乱させるように処理された表面処理部と、を有し、
前記光源から出射される光を前記照明拡散部材の前記湾曲部の開口を通して前記文字板側に導いて、前記表示意匠の周囲領域を照明するとともに、前記光源から出射される光の一部を前記リッド部に入射させて、前記表面処理部にて光のグラデーションが得られるようにした、
ことを特徴とする車両用表示装置。
【発明の詳細な説明】
【技術分野】
【０００１】
本発明は、車両用表示装置に関する。
【背景技術】
【０００２】
自動車などの車両には、指針の回動によって車速度やエンジン回転数などを指示表示する車両用表示装置がインストルメントパネルに設置されている（例えば、特許文献１参照）。このような車両用表示装置では、数字や目盛りを表面に形成した文字板上を車速度やエンジン回転数に応じて指針が回動することにより、車速度やエンジン回転数の数値を指針の指示位置で表示することができる。
【０００３】
また、前記特許文献１の車両用表示装置では、各メータ計器（スピードメータ、タコメータ等）の周囲をそれぞれ囲むようにして筒状開口を有するリッド部が、フロントカバー（表示装置本体）の前面側に取り付けられている。
【特許文献１】特開２００３−４８４５４号公報
【発明の開示】
【発明が解決しようとする課題】
【０００４】
ところで、前記特許文献１のような従来の車両用表示装置では、一般にメータ計器の文字板上の表示用数字や目盛りの部分は、その背面側に設けた光源から出射される光によって透過照明される構成であるが、近年、単なる表示用数字や目盛りの部分の透過照明ではなく、より魅力的で幻想的な照明を演出することができるような車両用表示装置が望まれている。更に、リッド部とフロントカバー（表示装置本体）がそれぞれ別体で形成されているので、組付け作業の作業性を向上させる観点から部品点数の削減が望まれていた。
【０００５】
そこで、本発明は、表示用数字や目盛りの部分を単に透過照明する場合よりも、より魅力的で幻想的な照明を演出することができるようにし、更に、部品点数の削減を図ることができる車両用表示装置を提供することを目的とする。
【課題を解決するための手段】
【０００６】
前記目的を達成するために本発明に係る車両用表示装置は、透過照明可能な表示意匠が形成されたリングの文字板と、前記文字板上を回動可能に設けられ、前記表示意匠を指示表示する指針と、前記文字板の内側に該文字板と同心円上に設けられ、半径方向に沿って延びる先端が開口した凸状の湾曲部が前記表示意匠の位置に合わせて複数形成された照明拡散部材と、前記照明拡散部材の背面側に設けた光源と、前記文字板の前面側の外周囲を囲むように設けられ、ハウジングの前面側に配置されるフロントカバーと一体に形成されたリッド部と、前記リッド部の外周面の表面に、光を散乱させるように処理された表面処理部と、を有し、前記光源から出射される光を前記照明拡散部材の前記湾曲部の開口を通して前記文字板側に導いて、前記表示意匠の周囲領域を照明するとともに、前記光源から出射される光の一部を前記リッド部に入射させて、前記表面処理部にて光のグラデーションが得られるようにしたことを特徴としている。
【発明の効果】
【０００７】
本発明に係る車両用表示装置によれば、光源から出射される光を照明拡散部材の湾曲部の開口を通して文字板側に導いて、表示意匠の周囲領域を照明するとともに、光源から出射される光の一部をリッド部に入射させて、表面処理部にて光のグラデーションが得られるようにしたことにより、表示意匠を単に透過照明する場合よりも、より魅力的で幻想的な照明を演出することができる。
【０００８】
また、リッド部をフロントカバーと一体に形成したことにより、部品点数の削減を図ることができるので、組付け作業の作業効率を高めることができる。
【発明を実施するための最良の形態】
【０００９】
以下、本発明を図示の実施形態に基づいて説明する。図１は、本発明の実施形態に係る車両用表示装置を示す正面図、図２は、図１のＡ−Ａ線断面図である。
【００１０】
図１に示すように、本実施形態に係る車両用表示装置１は、アナログタイプの円形状のスピードメータ（速度計）２と、アナログタイプの円形状のタコメータ（回転計）３を備えており、このスピードメータ２とタコメータ３は、ハウジング（不図示）の前面側に設けたフロントカバー４の取付け開口部（不図示）にそれぞれ設置されている。
【００１１】
また、スピードメータ２とタコメータ３の間には、液晶表示パネル等で形成されたマルチディスプレイ表示部５ａ，５ｂが設置されている。マルチディスプレイ表示部５ａ，５ｂには、水温情報、残燃料情報、積算距離情報、シフトポジション情報等の複数の情報が表示される。この車両用表示装置１は、自動車等の車両の車室内に設けたインスツルメントパネル（不図示）に設置される。
【００１２】
図１、図２に示すように、スピードメータ２は、中央部から後方側に少し傾斜している照明拡散部材６の円形状の外周側に、リング状の文字板７が同心円上に設置されている。照明拡散部材６と文字板７の前面側周囲は、フロントカバー４と一体に樹脂成型されたリッド部８によって覆われている。リッド部８は光を透過可能なように透明樹脂材によって形成されている。なお、フロントカバー４は光を非透過に形成されている。文字板７の表面には、スピード表示用の数字７ａと目盛り７ｂが形成されている。
【００１３】
文字板７は透明樹脂材によって形成されており、文字板７の表面に光を非透過な塗装を施した後に数字７ａと目盛り７ｂの部分が光を透過可能なように抜き加工を施している。文字板７の背面側にはリング状の光拡散部材９が設置されており、この光拡散部材９の背面側には複数のＬＥＤ等の透過照明用光源１０が設置されている。
【００１４】
照明拡散部材６の表面側には、文字板７の数字７ａと目盛り７ｂを指示表示する回動可能な指針１１が設けられており、指針１１の基端を固定した支持軸１２が照明拡散部材６の中央部に形成した軸穴６ａを通して駆動モータ（不図示）に連結されている。照明拡散部材６には、図３に示すように、半径方向に沿って延びる先端が開口した凸状の湾曲部６ｂが放射状に複数形成されている。各湾曲部６ｂは、文字板７の数字７ａ（図１では、０、４０、８０、１２０、１６０、２００、２４０）の位置に合わせて形成されている。照明拡散部材６の背面側には、複数のＬＥＤ等の照明拡散用光源１３が設置されている。照明拡散部材６は光を非透過に形成されている。
【００１５】
リッド部８は、円弧状に形成された上面および側面が前方へ突出するように形成されており、上面側の方が側面側よりもより前方側へ突出している。リッド部８の上面および側面の外側表面には、サンドブラスト処理を施して細かい凹凸面状とした表面処理部８ａが形成されている。また、スピードメータ２（タコメータ３側も同様）のフロントカバー４と文字板７と光拡散部材９との間には、リッド部８の周囲に沿って幅狭な空間１４が設けられている。
【００１６】
タコメータ３も前記スピードメータ２と同様に、照明拡散部材１５の円形外周側にリング状の文字板１６が設置されている。照明拡散部材１５と文字板１６の前面側周囲は、フロントカバー４と一体に成型されたリッド部１７によって覆われている。リッド部１７は光を透過可能なように透明に形成されている。文字板１６の表面には、エンジン回転数表示用の数字１６ａと目盛り１６ｂが形成されている。
【００１７】
文字板１６は透明樹脂材によって形成されており、文字板１６の表面に光を非透過な塗装を施した後に数字１６ａと目盛り１６ｂの部分が光を透過可能なように抜き加工を施している。文字板１６の背面側にはリング状の光拡散部材（不図示）が設置されており、この光拡散部材の背面側には複数のＬＥＤ等の透過照明用光源（不図示）が設置されている。
【００１８】
照明拡散部材１５の表面側には、文字板１６の数字１６ａと目盛り１６ｂを指示表示する回動可能な指針１８が設けられており、指針１８の基端を固定した支持軸（不図示）が照明拡散部材１５の中央部に形成した軸穴（不図示）を通して駆動モータ（不図示）に連結されている。照明拡散部材１５には、半径方向に沿って延びる先端が開口した凸状の湾曲部１５ａが放射状に複数形成されている。各湾曲部１５ａは、文字板１６の数字１６ａ（図１では、０、１、２、３、４、５、６、７、８）の位置に合わせて形成されている。照明拡散部材１５の背面側には、複数のＬＥＤ等の照明拡散用光源（不図示）が設置されている。照明拡散部材１５は光を非透過に形成されている。
【００１９】
リッド部１７は、円弧状に形成された上面および側面が前方へ突出するように形成されており、上面側の方が側面側よりもより前方側へ突出している。リッド部１７の上面および側面の外側表面には、サンドブラスト処理を施して細かい凹凸面状とした表面処理部１７ａが形成されている。
【００２０】
本実施形態に係る車両用表示装置１は前記のように構成されており、不図示の操作スイッチをＯＮすることにより、スピードメータ２及びタコメータ３の透過照明用光源１０、照明拡散用光源１３（タコメータ３側は不図示）が点灯（発光）する。なお、スピードメータ２とタコメータ３は同様に構成されているので、以下においてはスピードメータ２側について説明する。
【００２１】
透過照明用光源１０から出射した光は、光拡散部材９で拡散されて拡散光となり、文字板７の表面の複数の数字７ａと目盛り７ｂを透過照明する。一方、照明拡散用光源１３から出射した光は、図４に示すように、照明拡散部材６の各湾曲部６ｂの先端開口を通して文字板７側に導かれ、文字板７上の各数字７ａの周囲領域Ｌ１（タコメータ３側は各数字１５ａの周囲領域Ｌ２）を照明する。更に、透過照明用光源１０から出射した光の一部は、文字板７の内側端面７ｃ（図２参照）から透明な文字板７内を通して透明なリッド部８側に導かれ、表面処理部８ａを照明する。表面処理部８ａはサンドブラスト処理が施されているので、この表面処理部８ａにて光のグラデーションを得ることができる。
【００２２】
このように、本実施形態に係る車両用表示装置１によれば、照明拡散部材６、１５の各湾曲部６ｂ、１５ａを通して文字板７、１６側に導かれる光によって、文字板７、１６上の透過照明されている各数字７ａ、１６ａの周囲領域Ｌ１、Ｌ２を照明し、更に、リッド部８、１７の周面のサンドブラスト処理を施した表面処理部８ａ、１７ａにて光のグラデーションを得ることができるので、文字板７、１６上の各数字７ａ、１６ａや目盛り７ｂ、１６ｂを単に透過照明する場合よりも、より魅力的で幻想的な照明を演出することができる。
【００２３】
また、リッド部８、１７をフロントカバー４と一体に樹脂成型したことにより、部品点数の削減を図ることができるので、組付け作業の作業効率を高めることができる。
【００２４】
更に、図５に示すように、照明拡散用光源１３に加えてスピードメータ２のリッド部８の表面処理部８ａを形成した外周面の背面側（光拡散部材９の背面側）にもＬＥＤ等の光源１９を複数設置し、各光源１９から出射した光を空間１４を通してリッド部８側に導いて、表面処理部８ａを照明するようにしてもよい。なお、タコメータ３側においても同様に構成される。
【００２５】
この場合には、サンドブラスト処理を施した表面処理部８ａ、１７ａにて更に明度の高い光のグラデーションを得ることができる。
【００２６】
なお、前記実施形態では、本発明に係る車両用表示装置をスピードメータとタコメータに適用した例であったが、これ以外にも、例えば車両の燃料計、水温計などの指針計器においても同様に本発明を適用することができる。
【図面の簡単な説明】
【００２７】
【図１】本発明の実施形態に係る車両用表示装置を示す正面図。
【図２】図１のＡ−Ａ線断面図。
【図３】本発明の実施形態に係る車両用表示装置の照明拡散部材を示す斜視図。
【図４】本発明の実施形態に係る車両用表示装置の文字板上の各数字の周囲領域が照明されている状態を示す図。
【図５】本発明の実施形態の変形例に係る車両用表示装置の要部を示す断面図。
【符号の説明】
【００２８】
１        車両用表示装置
２        スピードメータ
３        タコメータ
４        フロントカバー
５ａ、５ｂ      マルチディスプレイ表示部
６、１５      照明拡散部材
６ｂ、１５ａ      湾曲部
７，１６      文字板
８、１７      リッド部
８ａ、１７ａ      表面処理部
１０        透過照明用光源
１１、１８        指針
１３        照明拡散用光源
【図１】
2009198263.tif 000003
【図２】
2009198263.tif 000004
【図３】
2009198263.tif 000005
【図４】
2009198263.tif 000006
【図５】
2009198263.tif 000007